(57)【要約】【課題】画像信号のＡ／Ｄ変換誤差による画質劣化を投影上で目立つことなく処理する。【解決手段】アナログ値の画像信号を入力する入出力コネクタ部21及び入出力Ｉ／Ｆ22と、入力した画像信号をデジタル化するＡ／Ｄ変換部22ａと、Ａ／Ｄ変換部22ａで得た画像信号に応じた光像を形成して出射する投影系23〜37と、Ａ／Ｄ変換部22ａで得た画像信号を記憶する画像記憶部42と、Ａ／Ｄ変換部22ａで得た画像が静止画であるか否かを判断し、その判断結果に応じ、Ａ／Ｄ変換部22ａで得た画像信号に代えて画像記憶部42に記憶した画像信号を用いて投影系23〜37で投影させる制御系38〜40とを備える。【選択図】図２
2009069661.tif 000002
【特許請求の範囲】
【請求項１】
アナログ値の画像信号を入力する画像入力手段と、
上記画像入力手段で入力した画像信号をデジタル化するＡ／Ｄ変換手段と、
上記Ａ／Ｄ変換手段で得た画像信号に応じた光像を形成して出射する投影手段と、
上記Ａ／Ｄ変換手段で得た画像信号を記憶する記憶手段と、
上記Ａ／Ｄ変換手段で得た画像が静止画であるか否かを判断する第１の判断手段と、
上記第１の判断手段での判断結果に応じ、上記Ａ／Ｄ変換手段で得た画像信号に代えて上記記憶手段に記憶した画像信号を用いて上記投影手段で投影させる投影制御手段と
を具備したことを特徴とする投影装置。
【請求項２】
アナログ値の画像信号を入力する画像入力手段と、
上記画像入力手段で入力した画像信号をデジタル化するＡ／Ｄ変換手段と、
上記Ａ／Ｄ変換手段で得た画像信号に応じた光像を形成して出射する投影手段と、
上記Ａ／Ｄ変換手段で得た画像信号を記憶する記憶手段と、
上記画像入力手段で入力した画像信号が、上記Ａ／Ｄ変換手段での精度より高い精度のデジタル値の画像信号をアナログ化したものであるか否かを判断する第２の判断手段と、
上記第２の判断手段での判断結果に応じ、上記Ａ／Ｄ変換手段で得た画像信号に代えて上記記憶手段に記憶した画像信号を用いて上記投影手段で投影させる投影制御手段と
を具備したことを特徴とする投影装置。
【請求項３】
上記投影制御手段は、上記第１及び第２の判断手段のいずれか一方の判断結果を優先することを特徴とする請求項１及び２記載の投影装置。
【請求項４】
アナログ値の画像信号を入力し、入力した画像信号をデジタル化して光像を形成して出射する投影装置での投影方法であって、
上記デジタル化した画像信号を記憶する記憶工程と、
上記デジタル化した画像が静止画であるか否かを判断する第１の判断工程と、
上記第１の判断工程での判断結果に応じ、上記デジタル化した画像信号に代えて上記記憶工程で記憶した画像信号を用いて投影させる投影制御工程と
を有したことを特徴とする投影方法。
【請求項５】
アナログ値の画像信号を入力し、入力した画像信号をデジタル化して光像を形成して出射する投影装置での投影方法であって、
上記デジタル化した画像信号を記憶する記憶工程と、
上記入力した画像信号が、上記デジタル化処理の精度より高い精度のデジタル値の画像信号をアナログ化したものであるか否かを判断する第２の判断工程と、
上記第２の判断工程での判断結果に応じ、上記デジタル化した画像信号に代えて上記記憶工程で記憶した画像信号を用いて投影させる投影制御工程と
を有したことを特徴とする投影方法。
【請求項６】
アナログ値の画像信号を入力し、入力した画像信号をデジタル化して光像を形成して出射する投影装置に内蔵されたコンピュータが実行するプログラムであって、
上記デジタル化した画像信号を記憶する記憶ステップと、
上記デジタル化した画像が静止画であるか否かを判断する第１の判断ステップと、
上記第１の判断ステップでの判断結果に応じ、上記デジタル化した画像信号に代えて上記記憶工程で記憶した画像信号を用いて投影させる投影制御ステップと
をコンピュータに実行させることを特徴とするプログラム。
【請求項７】
アナログ値の画像信号を入力し、入力した画像信号をデジタル化して光像を形成して出射する投影装置に内蔵されたコンピュータが実行するプログラムであって、
上記デジタル化した画像信号を記憶する記憶ステップと、
上記入力した画像信号が、上記デジタル化処理の精度より高い精度のデジタル値の画像信号をアナログ化したものであるか否かを判断する第２の判断ステップと、
上記第２の判断ステップでの判断結果に応じ、上記デジタル化した画像信号に代えて上記記憶ステップで記憶した画像信号を用いて投影させる投影制御ステップと
をコンピュータに実行させることを特徴とするプログラム。
【発明の詳細な説明】
【技術分野】
【０００１】
本発明は、外部からアナログの画像信号を入力して投影する投影装置、投影方法及びプログラムに関する。
【背景技術】
【０００２】
従来より、例えばパーソナルコンピュータ等の外部機器を接続し、その外部機器から送られてくるアナログ値の画像信号に応じた光像を形成して投影対象となるスクリーンに向けて照射するプロジェクタ装置が広く一般に普及しており、各種技術が考えられている。（例えば、特許文献１）
【特許文献１】特開２００１−２２８５３７号公報
【発明の開示】
【発明が解決しようとする課題】
【０００３】
上記特許文献１に記載された技術を含めて、入力されたアナログ値の画像信号をデジタル化した上で投影を行なう、Ａ／Ｄ変換器を有するプロジェクタ装置では、Ａ／Ｄ変換誤差が画像フレーム毎に表現されることで、そのバラツキによるノイズが発生する。
【０００４】
これは、投影画像が肉眼では残像として作用することで、特に画像の内容が変化しない静止画像を投影する際に、画像のチラツキとして現出し、著しく画質が劣化したものとして認識されてしまうという不具合があった。
【０００５】
本発明は上記のような実情に鑑みてなされたもので、その目的とするところは、アナログの画像信号をデジタル化して投影する際の変換誤差による画質の劣化が投影画像上で目立つことなく処理することが可能な投影装置、投影方法及びプログラムを提供することにある。
【課題を解決するための手段】
【０００６】
請求項１記載の発明は、アナログ値の画像信号を入力する画像入力手段と、上記画像入力手段で入力した画像信号をデジタル化するＡ／Ｄ変換手段と、上記Ａ／Ｄ変換手段で得た画像信号に応じた光像を形成して出射する投影手段と、上記Ａ／Ｄ変換手段で得た画像信号を記憶する記憶手段と、上記Ａ／Ｄ変換手段で得た画像が静止画であるか否かを判断する第１の判断手段と、上記第１の判断手段での判断結果に応じ、上記Ａ／Ｄ変換手段で得た画像信号に代えて上記記憶手段に記憶した画像信号を用いて上記投影手段で投影させる投影制御手段とを具備したことを特徴とする。
【０００７】
請求項２記載の発明は、アナログ値の画像信号を入力する画像入力手段と、上記画像入力手段で入力した画像信号をデジタル化するＡ／Ｄ変換手段と、上記Ａ／Ｄ変換手段で得た画像信号に応じた光像を形成して出射する投影手段と、上記Ａ／Ｄ変換手段で得た画像信号を記憶する記憶手段と、上記画像入力手段で入力した画像信号が、上記Ａ／Ｄ変換手段での精度より高い精度のデジタル値の画像信号をアナログ化したものであるか否かを判断する第２の判断手段と、上記第２の判断手段での判断結果に応じ、上記Ａ／Ｄ変換手段で得た画像信号に代えて上記記憶手段に記憶した画像信号を用いて上記投影手段で投影させる投影制御手段とを具備したことを特徴とする。
【０００８】
請求項３記載の発明は、上記請求項１及び２記載の発明において、上記投影制御手段は、上記第１及び第２の判断手段のいずれか一方の判断結果を優先することを特徴とする。
【０００９】
請求項４記載の発明は、アナログ値の画像信号を入力し、入力した画像信号をデジタル化して光像を形成して出射する投影装置での投影方法であって、上記デジタル化した画像信号を記憶する記憶工程と、上記デジタル化した画像が静止画であるか否かを判断する第１の判断工程と、上記第１の判断工程での判断結果に応じ、上記デジタル化した画像信号に代えて上記記憶工程で記憶した画像信号を用いて投影させる投影制御工程とを有したことを特徴とする。
【００１０】
請求項５記載の発明は、アナログ値の画像信号を入力し、入力した画像信号をデジタル化して光像を形成して出射する投影装置での投影方法であって、上記デジタル化した画像信号を記憶する記憶工程と、上記入力した画像信号が、上記デジタル化処理の精度より高い精度のデジタル値の画像信号をアナログ化したものであるか否かを判断する第２の判断工程と、上記第２の判断工程での判断結果に応じ、上記デジタル化した画像信号に代えて上記記憶工程で記憶した画像信号を用いて投影させる投影制御工程とを有したことを特徴とする。
【００１１】
請求項６記載の発明は、アナログ値の画像信号を入力し、入力した画像信号をデジタル化して光像を形成して出射する投影装置に内蔵されたコンピュータが実行するプログラムであって、上記デジタル化した画像信号を記憶する記憶ステップと、上記デジタル化した画像が静止画であるか否かを判断する第１の判断ステップと、上記第１の判断ステップでの判断結果に応じ、上記デジタル化した画像信号に代えて上記記憶工程で記憶した画像信号を用いて投影させる投影制御ステップとをコンピュータに実行させることを特徴とする。
【００１２】
請求項７記載の発明は、アナログ値の画像信号を入力し、入力した画像信号をデジタル化して光像を形成して出射する投影装置に内蔵されたコンピュータが実行するプログラムであって、上記デジタル化した画像信号を記憶する記憶ステップと、上記入力した画像信号が、上記デジタル化処理の精度より高い精度のデジタル値の画像信号をアナログ化したものであるか否かを判断する第２の判断ステップと、上記第２の判断ステップでの判断結果に応じ、上記デジタル化した画像信号に代えて上記記憶ステップで記憶した画像信号を用いて投影させる投影制御ステップとをコンピュータに実行させることを特徴とする。
【発明の効果】
【００１３】
本発明によれば、アナログの画像信号をデジタル化して投影する際の変換誤差による画質の劣化が投影画像上で目立つことなく処理することが可能となる。
【発明を実施するための最良の形態】
【００１４】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００１５】
図１は、同実施形態に係るデータプロジェクタ装置１０の外観構成を示す。同図で、データプロジェクタ装置１０は、直方体状の本体ケーシング１１の前面に投影レンズ部１２とＩｒ受信部１３とを配設する。
【００１６】
また、同本体ケーシング１１の上面には、スピーカ部１４、インジケータ部１５、及びキー操作部１６を配設する。
【００１７】
投影レンズ部１２は、内部で作成された光像を拡大してスクリーン等に投影するものであり、合焦位置及びズーム位置（投影画角）を任意に可変できるものとする。
【００１８】
Ｉｒ受信部１３は、このデータプロジェクタ装置１０の図示しないリモートコントローラからの赤外線変調信号を受信する部位であり、同様の受信部がこのデータプロジェクタ装置１０の背面側にも配設されるものとする。
【００１９】
スピーカ部１４は、画像信号と共に入力される音声信号や予めデータプロジェクタ装置１０内に記憶されている音声メッセージ、ビープ音等を拡声放音する。
【００２０】
インジケータ部１５は、電源の投入／切断状態、後述する光源ランプの温度が異常となった場合などを内部に設けたＬＥＤ（発光ダイオード）の点灯／点滅などで表示する。
【００２１】
キー操作部１６は、直接ユーザのキー操作を受付けて各種投影動作を制御するためのもので、例えば電源キー、入力切換えキー、ズームアップ／ダウンキー、ＡＦＫ（Ａｕｔｏ  Ｆｏｃｕｓ／ａｕｔｏｍａｔｉｃ  Ｋｅｙｓｔｏｎｅ  ｃｏｒｒｅｃｔｉｏｎ：自動合焦／自動台形補正）キー、メニューキー、カーソルキー（「↑」「↓」「←」「→」）、エンターキー、キャンセルキー等を備える。
【００２２】
また、データプロジェクタ装置１０の下面前端側の左右両端部には一対の調整脚部１７Ａ，１７Ｂが設けられる。図示はしないが、データプロジェクタ装置１０の下面後端側中央にはもう１本の固定脚部が設けられるもので、計３本の脚部によりデータプロジェクタ装置１０を支持すると共に、前側に位置する上記調整脚部１７Ａ，１７Ｂの各脚長をそれぞれ調整することにより、投影レンズ部１２の投影光軸の仰角、及び投影画像の左右の傾きを調整可能となる。
【００２３】
なお、ここでは図示しないが、本体ケーシング１１の背面には各種画像信号を入出力するためのコネクタ部、盗難防止金具取付部、上記Ｉｒ受信部１３と同様のＩｒ受信部等を備えている。
【００２４】
図２は、上記データプロジェクタ装置１０が備える電子回路の機能構成を示すブロック図である。  
同図で、２１は本体ケーシング１１の背面側に設けられる入出力コネクタ部であり、例えばピンジャック（ＲＣＡ）タイプのビデオ入力端子、ＲＧＢ入力端子、及びＵＳＢ端子からなる。
【００２５】
入出力コネクタ部２１より入力される各種規格の画像信号は、入出力インタフェース（Ｉ／Ｆ）２２内のＡ／Ｄ変換部２２ａで必要によりＡ／Ｄ変換された後、システムバスＳＢを介して画像変換部２３で階調数等を含む所定のフォーマットの画像信号に統一された後に、投影駆動部２４へ送られる。
【００２６】
この際、ＯＳＤ（Ｏｎ  Ｓｃｒｅｅｎ  Ｄｉｓｐｌａｙ）用のモード画像やポインタ等の記号も必要に応じて画像信号上に重畳加工された状態で投影駆動部２４へ送られる。
【００２７】
投影駆動部２４は、送られてきた画像信号をビデオＲＡＭ２５に展開して記憶させた上でこのビデオＲＡＭ２５の記憶内容からビデオ信号を生成する。
【００２８】
投影駆動部２４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子２６を表示駆動する。
【００２９】
一方、リフレクタ２７内に配置された、例えば超高圧水銀灯を用いた光源ランプ２８が高輝度の白色光を出射する。光源ランプ２８の出射した白色光は、カラーホイール２９を介して時分割で原色に着色され、インテグレータ３０で輝度分布が均一な光束とされた後にミラー３１で全反射して上記マイクロミラー素子２６に照射される。
【００３０】
しかして、マイクロミラー素子２６での反射光で光像が形成され、形成された光像が上記投影レンズ部１２を介して、投影対象となるここでは図示しないスクリーンに投影表示される。
【００３１】
上述した如く投影レンズ部１２は、マイクロミラー素子２６で形成された光像を拡大してスクリーン等の対象に投影するものであり、合焦位置及びズーム位置（投影画角）を任意に可変できるものとする。
【００３２】
すなわち、投影レンズ部１２を構成する複数の光学レンズ中、図示しないフォーカスレンズ及びズームレンズは共に光軸方向に沿って前後に移動することで制御されるもので、それらレンズはステッピングモータ（Ｍ）３２の回動駆動により移動する。
【００３３】
また、光源ランプ２８を冷却するための冷却ファン３３がモータ（Ｍ）３４により回転駆動される。さらに、上記カラーホイール２９を回転させるモータ（Ｍ）３５が設けられる。
【００３４】
しかるに、上記光源ランプ２８の点灯駆動、上記カラーホイール２９用のモータ３５の回転駆動、冷却ファン３３用のモータ３４の回転駆動、及び上記ステッピングモータ３２の回動駆動をいずれも投影光処理部３６が実行する。
【００３５】
加えてこの投影光処理部３６は、リフレクタ２７に取付けられて光源ランプ２８の温度を検出する温度センサ３７からの温度データを入力する。
【００３６】
上記各回路の動作すべてをＣＰＵ３８が制御する。このＣＰＵ３８は、ＳＤＲＡＭ（シンクロナスＤＲＡＭ）で構成されたメインメモリ３９、動作プログラムや各種定型データ等を記憶した電気的書換可能な不揮発性メモリでなるプログラムメモリ４０を用いてこのデータプロジェクタ装置１０内の制御動作を実行する。
【００３７】
上記ＣＰＵ３８は、操作部４１からの操作信号に応じて各種投影動作を実行する。この操作部４１は、上記キー操作部１６と、Ｉｒ受信部１３、及びこのＩｒ受信部１３と同様に本体ケーシング１１背面に設けられたＩｒ受信部を含み、ユーザが直接またはリモートコントローラを介して操作したキーに基づくキーコード信号をＣＰＵ３８へ直接出力する。
【００３８】
上記ＣＰＵ３８はさらに、上記システムバスＳＢを介して画像記憶部４２、上記インジケータ部１５、音声処理部４３、及び電源コントローラ４４と接続される。
【００３９】
画像記憶部４２は、少なくとも２フレーム分の画像信号を記憶する記憶容量を有し、適宜ＣＰＵ３８によりその記憶内容が書換えられる。
【００４０】
音声処理部４３は、ＰＣＭ音源等の音源回路を備え、投影動作時に与えられる音声データをアナログ化し、上記スピーカ部１４を駆動して拡声放音させ、あるいは必要によりビープ音等を発生させる。
【００４１】
電源コントローラ４４は、ＡＣ入力部４５を接続する。ＡＣ入力部４５は、装置外部から与えられる交流電圧を所定の電圧、例えば６［Ｖ］の直流電圧に整流、変圧して電源コントローラ４４へ出力する。
【００４２】
電源コントローラ４４は、ＡＣ入力部４５からの直流電圧を上記各回路の動作に適した複数の直流電圧に変圧して供給する
次に上記実施形態の動作について説明する。  
図３は、入出力コネクタ部２１のピンジャック（ＲＣＡ）タイプのビデオ入力端子またはＲＧＢ入力端子に外部機器、例えばパーソナルコンピュータを接続し、それらの端子を介してアナログ値の画像信号が入力される場合の投影動作について示したものであり、その動作制御はすべてＣＰＵ３８がプログラムメモリ４０に記憶された動作プログラムを読出してメインメモリ３９に展開しながら実行する。
【００４３】
処理当初には、入出力コネクタ部２１を介して入力される画像信号を順次Ａ／Ｄ変換した上で（ステップＳ１０１）、そのＡ／Ｄ変換により得たデジタル化された画像信号を画像記憶部４２に記憶する（ステップＳ１０２）。
【００４４】
こうして画像記憶部４２への記憶を行なう毎に、１フレーム分の画像信号が格納されたか否かを、例えば画像信号中の垂直同期パルスから次の垂直同期パルスに至るまでが画像記憶部４２に格納されてか否かにより判断するもので（ステップＳ１０３）、１フレーム分の画像データが格納されていない場合には再び上記ステップＳ１０１からの処理に戻って同様の処理を繰返し、画像記憶部４２に１フレーム分の画像信号が格納されるのを待機する。
【００４５】
そして、画像記憶部４２に１フレーム分の画像信号が格納された時点で、ステップＳ１０３によりこれを判断し、次いでその前に入力して同じく画像記憶部４２に記憶しておいた１フレーム分の画像データと相互比較することで（ステップＳ１０４）、この画像信号が動画であるか否か、すなわち２つの画像信号でフレーム間に一定のしきい値以上の相違があるか否かを判断する（ステップＳ１０５）。
【００４６】
なお、上記一定のしきい値とは、例えばＡ／Ｄ変換部２２ａでの変換誤差よりも充分に大きく、且つ動画像の画像信号であれば確実に検出し得る程度の相違する対応画素数であるものとする。
【００４７】
ここで２つの画像信号でフレーム間に相違があり、画像信号が動画であると判断した場合には、直前にＡ／Ｄ変換した１フレーム分の画像信号を画像記憶部４２の次の比較に用いる前フレーム分の画像信号として記憶設定し直すと共に、同画像信号を画像記憶部４２から読出して画像変換部２３へ転送し（ステップＳ１０６）、マイクロミラー素子２６で対応する光像を形成して投影レンズ部１２より出射する投影処理を実行させた上で（ステップＳ１０７）、再び次に入力される画像信号に対処するべく上記ステップＳ１０１からの処理に戻る。
【００４８】
一方で、上記ステップＳ１０５により２つの画像信号でフレーム間に相違がなく、画像信号が動画ではなく静止画であると判断した場合には、直前にＡ／Ｄ変換した１フレーム分の画像信号を破棄し、すでに画像記憶部４２に記憶していた前フレーム分の画像信号を画像記憶部４２から読出して画像変換部２３へ転送し（ステップＳ１０８）、マイクロミラー素子２６で対応する光像を形成して投影レンズ部１２より出射する投影処理を実行させた上で（ステップＳ１０７）、再び次に入力される画像信号に対処するべく上記ステップＳ１０１からの処理に戻る。
【００４９】
このように本実施形態によれば、入力される画像信号が静止画であると判断した場合には、今回入力したフレームの画像信号ではなく、画像記憶部４２にすでに記憶している前フレームの画像信号を引き続き読出して投影処理に供することとなる。  
したがって、入出力インタフェース２２のＡ／Ｄ変換部２２ａで変換誤差によりフレーム間で微少なノイズを生じるような場合でも、投影レンズ部１２より出射される投影画像では一切そのような変換誤差に起因する画像のチラツキを排除することができる。
【００５０】
なお、Ａ／Ｄ変換部２２ａによる変換誤差は、当然ながら画像信号が動画の場合であっても発生する。しかしながら、動画では静止画のように同一の画像を連続して出力することはなく、画像自体に動きがあって、人間の肉眼では残像効果としてのチラツキによるノイズは気にならないレベルであるので、特に画像の劣化を感じることはなく、本実施形態では特に問題ないものとした。
【００５１】
（第２の実施形態）  
以下本発明をＤＬＰ（登録商標）方式のデータプロジェクタ装置に適用した場合の第２の実施形態について図面を参照して説明する。
【００５２】
なお、同実施形態に係るデータプロジェクタ装置の外観構成については上記図１と、データプロジェクタ装置が備える電子回路の概略機能構成については上記図２と、それぞれ基本的に同様であるため、同一部分には同一符号を付してその図示と説明とを省略するものとする。
【００５３】
次に上記実施形態の動作について説明する。  
図４は、入出力コネクタ部２１のピンジャック（ＲＣＡ）タイプのビデオ入力端子またはＲＧＢ入力端子に外部機器、例えばパーソナルコンピュータを接続し、それらの端子を介してアナログ値の画像信号が入力される場合の投影動作について示したものであり、その動作制御はすべてＣＰＵ３８がプログラムメモリ４０に記憶された動作プログラムを読出してメインメモリ３９に展開しながら実行する。
【００５４】
なお、入出力コネクタ部２１に与えられるアナログ値の画像信号は、出力側の外部機器の解像度によっては適宜サンプリング間隔を間引く手法、所謂ダウンサンプリングを行なう必要がある。
【００５５】
例えば、入出力インタフェース２２のＡ／Ｄ変換部２２ａの入力帯域がＳＸＧＡ（Ｓｕｐｅｒ  ｅＸｔｅｎｄｅｄ  Ｇｒａｐｈｉｃｓ  Ａｒｒａｙ）（表示解像度：横１２８０ドット×縦１０２４ドット）に対応した１１０［ＭＨｚ］であるのに対し、実際に外部入力されるアナログ値の画像信号の帯域がＳＸＧＡ＋（表示解像度：横１４００ドット×縦１０５０ドット）に対応した１２１［ＭＨｚ］であった場合、Ａ／Ｄ変換部２２ａでは本来のサンプリングタイミング１０回中９回のみサンプリングを実施し、残る１回のサンプリングを実施せずに画像信号を意図的に間引くことで、１１０［ＭＨｚ］以下でのサンプリング処理を実行することとなる。このダウンサンプリング動作は、例えば入出力インタフェース２２において入力される画像信号の１フィールドの周期を計測することで自動的に切り替えられる。
【００５６】
処理当初には、入出力コネクタ部２１を介して入力される画像信号を順次Ａ／Ｄ変換した上で（ステップＳ２０１）、そのＡ／Ｄ変換のサンプリング条件をチェックし（ステップＳ２０２）、上記ダウンサンプリングを行なったか否かを判断する（ステップＳ２０３）。
【００５７】
ここでダウンサンプリングを行なっていないと判断した場合には、サンプリングタイミングを間引くことに起因するフレーム間のデータのバラツキは生じておらず、投影画像が人間の肉眼では残像としてチラツキを生じるものではないものとして、そのままＡ／Ｄ変換により得たデジタル化された画像信号を画像変換部２３へ転送し（ステップＳ２０８）、マイクロミラー素子２６で対応する光像を形成して投影レンズ部１２より出射する投影処理を実行させた上で（ステップＳ２０９）、再び次に入力される画像信号に対処するべく上記ステップＳ２０１からの処理に戻る。
【００５８】
また、上記ステップＳ２０３でダウンサンプリングを行なっていると判断した場合には、サンプリングタイミングを間引くことに起因するフレーム間のデータのバラツキが生じており、投影画像が人間の肉眼で残像としてチラツキを生じるものではあるものとして、そのＡ／Ｄ変換により得たデジタル化された画像信号を画像記憶部４２に記憶する（ステップＳ２０４）。
【００５９】
こうして画像記憶部４２への記憶を行なう毎に、１フレーム分の画像信号が格納されたか否かを、例えば画像信号中の垂直同期パルスから次の垂直同期パルスに至るまでが画像記憶部４２に格納されてか否かにより判断するもので（ステップＳ２０５）、１フレーム分の画像データが格納されていない場合には再び上記ステップＳ２０１からの処理に戻って同様の処理を繰返し、画像記憶部４２に１フレーム分の画像信号が格納されるのを待機する。
【００６０】
そして、画像記憶部４２に１フレーム分の画像信号が格納された時点で、ステップＳ２０５によりこれを判断し、次いでその前に入力して同じく画像記憶部４２に記憶しておいた１フレーム分の画像データと相互比較することで（ステップＳ２０６）、この画像信号が動画であるか否か、すなわち２つの画像信号でフレーム間に一定のしきい値以上の相違があるか否かを判断する（ステップＳ２０７）。
【００６１】
なお、上記一定のしきい値とは、例えばＡ／Ｄ変換部２２ａでの変換誤差よりも充分に大きく、且つ動画像の画像信号であれば確実に検出し得る程度の相違する対応画素数であるものとする。
【００６２】
ここで２つの画像信号でフレーム間に相違があり、画像信号が動画であると判断した場合には、直前にＡ／Ｄ変換した１フレーム分の画像信号を画像記憶部４２の次の比較に用いる前フレーム分の画像信号として記憶設定し直すと共に、同画像信号を画像記憶部４２から読出して画像変換部２３へ転送し（ステップＳ２０８）、マイクロミラー素子２６で対応する光像を形成して投影レンズ部１２より出射する投影処理を実行させた上で（ステップＳ２０９）、再び次に入力される画像信号に対処するべく上記ステップＳ２０１からの処理に戻る。
【００６３】
一方で、上記ステップＳ２０７により２つの画像信号でフレーム間に相違がなく、画像信号が動画ではなく静止画であると判断した場合には、直前にＡ／Ｄ変換した１フレーム分の画像信号を破棄し、すでに画像記憶部４２に記憶していた前フレーム分の画像信号を画像記憶部４２から読出して画像変換部２３へ転送し（ステップＳ２１０）、マイクロミラー素子２６で対応する光像を形成して投影レンズ部１２より出射する投影処理を実行させた上で（ステップＳ２０９）、再び次に入力される画像信号に対処するべく上記ステップＳ２０１からの処理に戻る。
【００６４】
このように本実施形態によれば、Ａ／Ｄ変換時にダウンサンプリングが必要であった画像信号に対しては、画像のチラツキを生じる虞があるものとし、さらにその画像信号が静止画であるか否かを判断し、静止画である場合には、今回入力したフレームの画像信号ではなく、画像記憶部４２にすでに記憶している前フレームの画像信号を引き続き読出して投影処理に供することとなる。  
したがって、入出力インタフェース２２のＡ／Ｄ変換部２２ａでダウンサンプリングによる変換誤差に起因してフレーム間でノイズを生じるような場合でも、投影レンズ部１２より出射される投影画像では一切そのような変換誤差に起因する画像のチラツキを排除することができる。
【００６５】
加えて上記実施形態では、まずダウンサンプリングを行なったか否かを先に判断し、ダウンサンプリングを行なっていないと判断した場合には即時画像のチラツキの影響は少ないものと判断して、Ａ／Ｄ変換後の画像信号をそのまま投影処理に供するものとした一方で、ダウンサンプリングを行なったと判断した画像信号に対してはさらにその画像信号が静止画であれば、画像のチラツキの影響が大きいものと判断して、画像記憶部４２に記憶していた前フレームの画像信号を投影処理で用いるものとした。
【００６６】
このように、静止画であるか否かの判断に優先して、ダウンサンプリングを行なったか否かの判断を行なうものとしたが、これは入出力インタフェース２２のＡ／Ｄ変換部２２ａの入力帯域（解像度）や入出力コネクタ部２１に供給される可能性のある画像信号の解像度に応じてこれを優先するものとした場合について説明したものであり、本発明はその優先順位を限定するものではなく、その装置に適した優先順位を設定することで、よりチラツキを抑えたものとすることができる。
【００６７】
すなわち、ダウンサンプリングによる画像のチラツキが比較的小さいものと思われるようなＡ／Ｄ変換部を使用するデータプロジェクタ装置では、あえて先に画像信号が静止画であるか否かを判断した後に、ダウンサンプリングを行なったか否かを判断するものとしてもよい。
【００６８】
また、上記第１及び第２の実施形態では、共に本発明をＤＬＰ（登録商標）方式のデータプロジェクタ装置に適用した場合について説明したが、本発明は光像を形成する表示素子に影響を受けるものではなく、例えば透過型のカラー液晶パネルを用いる液晶方式のデータプロジェクタや、その他の各種プロジェクタにも同様に適用することができる。
【００６９】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７０】
【図１】本発明の第１の実施形態に係るデータプロジェクタ装置の外観構成を示す斜視図。
【図２】同実施形態に係る電子回路の概略機能構成を示すブロック図。
【図３】同実施形態に係る動画と静止画に対応した投影動作時の処理内容を示すフローチャート。
【図４】本発明の第２の実施形態に係る動画／静止画とサンプリングレートに対応した投影動作時の処理内容を示すフローチャート。
【符号の説明】
【００７１】
１０…データプロジェクタ装置、１１…本体ケーシング、１２…投影レンズ部、１３…Ｉｒ受信部、１４…スピーカ部、１５…インジケータ部、１６…キー操作部、２１…入出力コネクタ部、２２…入出力インタフェース（Ｉ／Ｆ）、２２ａ…Ａ／Ｄ変換部、２３…画像変換部、２４…投影駆動部、２５…ビデオＲＡＭ、２６…マイクロミラー素子（ＳＯＭ）、２７…リフレクタ、２８…光源ランプ、２９…カラーホイール、３０…インテグレータ、３１…ミラー、３２…ステッピングモータ（Ｍ）、３３…冷却ファン、３４…モータ（Ｍ）、３５…モータ（Ｍ）、３６…投影光処理部、３７…温度センサ、３８…ＣＰＵ、３９…メインメモリ、４０…プログラムメモリ、４１…操作部、４２…画像記憶部、４３…音声処理部、４４…電源コントローラ、４５…ＡＣ入力部、ＳＢ…システムバス。
【図１】
2009069661.tif 000003
【図２】
2009069661.tif 000004
【図３】
2009069661.tif 000005
【図４】
2009069661.tif 000006